(57)【要約】
【目的】不要時には、オーディオ機器を収納するポケット部を衣服本体より離脱させポーチとしての使用を可能とする。
【構成】本体衣服表面に面状テープを介して着脱自在になる張り出しポケット部を形成する。
　不要時には衣服本体より該張り出しポケット部を離脱させ、独立したポーチとしての利用を可能とし、又、必要時には、あらためて面状テープ同士を位置合わせした上押圧するだけで衣服本体と一体化される。
【選択図】図２
0003099701.tif 000002
【実用新案登録請求の範囲】
【請求項１】
　衣服本体部と、これに面状ファスナーを介して着脱自在となるように構成された内部及び外部ポケット部、とから成り、
　所望により、該内部及び外部ポケット部を該衣服本体部より離脱させポーチとして独立使用を可能とすること、
　を特徴とする着脱ポケットを備えた上衣。
【請求項２】
　前記内部ポケット部には、ＭＰ３等オーディオ機器本体を収納し、又、前記外部ポケット部には該オーディオ機器付属のヘッドホンを保持すること、
　を特徴とする請求項１記載の着脱ポケットを備えた上衣。
【請求項３】
　前記衣服本体部より面状ファスナーを介して着脱自在となる内部及び外部ポケット部の構成が、内部ポケット部はファスナーによる開閉部を構成する一層又は複数層のポケット部形成部からなり、また、外部ポケット部は該内部ポケット部形成部と同一面の外部ポケット部形成部上に面状ファスナーを介して重合する上下の折り畳み部とから成ること、
　を特徴とする請求項１又は２記載の着脱ポケットを備えた上衣。
【請求項４】
　前記衣服本体部と、これと面状ファスナーを介して着脱自在とされる内部ポケット部及び外部ポケット部とが、衣服本体部の胸部、上腕部、腰部又は肩部相当位置その他適宜位置に形成されること、　を特徴とする請求項１乃至３記載の着脱ポケットを備えた上衣。
【請求項５】
　前記衣服本体部及び、これに面状ファスナーを介して着脱自在となるよう構成された内部及び外部ポケット部、また、適宜配設される面状ファスナー及び／又はこれらの各適宜必要位置に適宜シール部材等を固着し、ＭＰ３プレーヤー等各種オーディオ機器作動時に該内部ポケット部に収納された該オーディオ機器本体から延設される配線コード、リモートコントローラー、ジャックが貫通するための適宜開口部を設け、該オーディオ機器本体部以外の全てが、衣服本体の内側に配設され外部からは目視しえないこと、
　を特徴とする請求項１乃至４記載の着脱ポケットを備えた上衣。
【考案の詳細な説明】
【技術分野】
【０００１】
　本考案は、一般的上衣、殊には、ＭＤプレーヤー、ＭＰ３プレーヤー、ポータブルＣＤプレーヤーや附属部品などのポータブルオーディオ機器類を収納乃至保持して、例えばスポーツ中などにも音楽を聴くことができ、不要時にはこれら本体等を収納乃至保持するポーチとして、衣服と独立し使用することも可能な、新規な上衣に関する。
【背景技術】
【０００２】
　近時、一般的上衣、殊にはスポーツ、例えばスキー、スノーボード、あるいはスケートボードなどにおいて、好みの音楽を聴きながら滑降、プレーしたいという要望が多く、ＭＤプレーヤーなどを装着できるようにしたスポーツウエアなどが開発されている。
　しかし乍ら不要時に於いては、殊更意味を有さないこれらの機能を常に備えさせておくことは望ましいことではなかったため、解決が望まれていた。
【考案の開示】
【考案が解決しようとする課題】
【０００３】
　本考案は、上記の要望に応えるために開発されたものであり、ＭＤプレーヤー、ＭＰ３プレーヤー、ポータブルＣＤプレーヤー、ヘッドホンステレオなどポータブルオーディオの収納手段につき更に改善を加えて、不要時には、衣服本体から独立したポーチとしても利用可能な収納部を構成した新規な上衣、殊にはスポーツ用の上衣を提供することにある。
【課題を解決するための手段】
【０００４】
　上記の目的を達成するための本考案の上衣は、衣服本体と着脱自在に、ＭＤプレーヤー、ＭＰ３プレーヤー、ポータブルＣＤプレーヤーなどポータブルオーディオの本体を収納するための内部ポケットと、ヘッドホンを保持するための外部ポケットとを一体化してなり、ポータブルオーディオの作動時のみに、衣服本体の内部（身体側）に配設され衣服本体の首部など上部から取り出されるようにしたポータブルオーディオの配線コードにヘッドホンが接続され、不要時には独立したポーチとしても用いることが出来るよう構成されたことをその主たる特徴とする。
【０００５】
　前記内部ポケットは、ファスナーによりポケット開閉部を形成する一層又は多層のポケット形成部より成り、また、前記外部ポケットは、前記内部ポケット形成部の上に（外側に）面状ファスナーを介して重合する上下の折り畳み部から構成され、該上下の折り畳み部によりヘッドホンを保持することも可能なようにしたことを特徴とする。
【０００６】
　前記内部ポケットのポケット形成部は、ＭＤプレーヤー等ポータブルオーディオの本体を収納するための内側層と、ディスクケース、リモコン、配線コード、貴重品等を収納するための外側層、との二重構造に構成することが可能である。
【０００７】
　また前記内部ポケットは、衣服本体の胸部または上腕部に、また肩部あるいは腰部に配設することも好ましいが、勿論これに制約されるものではなく、適宜部位相当部に形成されうる。
【０００８】
　更に、衣服本体部及び、これに面状ファスナーを介して着脱自在となるよう構成された内部及び外部ポケット部、また、適宜配設される面状ファスナーの適宜必要位置に、及び／又はこれらの適宜位置にシール部材等を固着し、ＭＰ３プレーヤー等各種オーディオ機器作動時には、内部ポケット部に収納された該オーディオ機器本体から延設される配線コード、リモートコントローラー、ジャックが貫通するための適宜開口部を設け、該オーディオ機器本体部以外の全てが、衣服本体の内側（身体側）に配設され外部からは目視しえないこと、も好ましい。
【考案の効果】
【０００９】
　本考案によれば、ＭＰ３等のポータブルオーディオ機器を作動させない場合には、衣服外面に出っ張り構成されている本来不要となるＭＰ３本体等収納のためのポケットが、ワンタッチで容易に衣服本体より離脱させうるため、外観上も優れるのみならず、該離脱させたポケットを独立したポーチとして、オーディオ機器等を収納し持ち運ぶ等が可能となる。
　更には、該収納されたオーディオ機器等の保護ともなりうるという顕著な効果をも併せ有している。
【考案を実施するための最良の形態】
【００１０】
　　「衣服本体部」
　本発明に於いて、衣服本体とは、一般に云う上衣全般を意味し、殊更スノーボード等冬季用ウエアに必ずしも限られることはない。
　素材は合成繊維を主とするが必ずしも限られることはない。
【００１１】
　又、裏地としては通気性確保の点からメッシュ状生地素材などが選択されることがあるが、これも特に限られる必要は全くない。
【００１２】
　　「オーディオ機器等」
　オーディオ機器等としては、小型の携帯可能なＭＰ３プレーヤー、ＭＤプレーヤー、ポータブルＣＤプレーヤー等が広く選択されうる。
　また、該オーディオ機器には、上記各種プレーヤー本体と、配線コード、リモートコントローラー、ジャック、ヘッドホン等の附属機器、の双方が含まれる。
【００１３】
　　「ポケット部」
　ポケット部とは、内部及び外部ポケット部を云い、これらは縫製等により一体化されている。
　また、該ポケット部は、衣服本体部に対して、所謂面状ファスナーを介して、衣服本体部と着脱自在の関係にある。
【００１４】
　また、内部ポケット部は、必要に応じてファスナーが具備されて該ファスナーにより開閉部を構成するポケット形成部を形成し、又、ポケットを一層とするか、二層以上の複数層とするかは適宜選択されうるし、又何を収納するかも特には限られることがない。
【００１５】
　更に、外部ポケット部は、前記の内部ポケット形成部上に（乃至外側に）面状ファスナーを介して重合する上部及び下部折り畳み部から成るものである（後に詳細は図示等する）。
【００１６】
　尚、該ポケット部は、衣服本体部の何れの部位に形成することも可能であるが、一般には、胸部、上腕部、肩部等に形成される。
【００１７】
　　「ポーチ」
　本考案の主要部たる点であるが、前記の、衣服本体部に面状ファスナーを介して着脱自在となるよう構成されている前記ポケット部（内部及び外部ポケット部）を、必要に応じて衣服本体部より離脱させ、独立してポーチとして使用出来る構成を呈する。
【００１８】
　ここに必要に応じてと云うのは、オーディオ機器の作動を要しない場合には（必ずしも、例えばスノーボード等格別運動をしない場合だけには限られないこと勿論である）、例えば、内部ポケット部には、オーディオ機器本体、あるいは更に配線コードなど前記附属機器を収納した上ファスナーにて閉止することが出来るのみならず、外部ポケット部にも、附属機器たるヘッドホンを保持させうること、を意味している。
【００１９】
　斯くして、衣服本体部とは全く独立した、別個の収納ポーチとして、例えばバッグ内に直接収容し、あるいは適宜ポケット部上端などに設けるリング又はフックなどを介しての外部引掛けによる保持などに用いられる。
　このことは、該ポケット部に収納等されるオーディオ機器の保護としても機能する結果ともなる。
【００２０】
　　「オーディオ作動時」
　尚、後に示す図等にて詳細に表してあるが、衣服本体部、内部及び外部ポケット部、また適宜配設される面状ファスナー、のそれぞれ適宜必要とされる位置に、また更にはこれらに、及び／又は、例えば縫着、貼着等固着されるシール部材に、オーディオ作動時（必ずしも運動時には限定されることはないこと勿論であるが）、内部ポケット部に収納されたオーディオ機器本体から延設される配線コード、リモートコントローラーあるいはジャックを貫通させるための適宜開口部を設け、衣服本体部の内部（内側）に全て（ヘッドホン以外）が配設されるよう構成しうる。
　従って、身体の動きの支障とならないのみならず、外部からも該配線コードなどが目視しえないので体裁上も見苦しくない。
【実施例１】
【００２１】
　図１は、本考案の一実施例を示すものであって、衣服本体部１の上腕部５相当部位に、面状ファスナーＦを介して、内部ポケット部２及び外部ポケット部３（ポケット部４）とを、該衣服本体部１に対して着脱自在となるように構成してある。
【００２２】
　該ポケット部４（外部ポケット部３及び内部ポケット部２）は、本例の場合、該衣服本体部１に強固に固着されている。
【実施例２】
【００２３】
　図２は、第二の実施例を示すものであり、該ポケット部４を、衣服本体部１より離脱させポーチＰとして使用される折の例を示している。
【００２４】
　内部ポケット部２は、ファスナー６により開閉部７を構成する内部ポケット部形成部８から成り、又、外部ポケット部３は、各面状ファスナーＦ，Ｆを介して、重合する下部折り畳み部９と上部折り畳み部１０とから成る。
　尚、本例の場合、内部ポケット部形成部８は一層としてある（後に図示する）。
【００２５】
　図３乃至図５は、該ポケット部５の具体的構成手順を示す。
【００２６】
　符号９は下部折り畳み部、符号１０は上部折り畳み部である。
　まず、面状ファスナーＦ，Ｆを形成した外部ポケット部形成部１１に、必要があればヘッドホン１２を下部折り畳み部９上端近傍に載置乃至引っ掛けた上で、該下部折り畳み部９を上部に折り畳んで、該下部折り畳み部９に形成された面状ファスナーＦ，Ｆにより外部ポケット部形成部１１上に重合させ、更に、上部折り畳み部１０を下部に折り畳んで該上部折り畳み部１０に形成された面状ファスナーＦと下部折り畳み部９表面の面状ファスナーＦ，Ｆの存在により両者を重合させる。
　これにより、ヘッドホン１２は、外部ポケット部形成部１１にて確実に保持される。
【００２７】
　勿論ヘッドホン１２を保持させる必要がなければ該保持のための行為は不要となり、単に、前述のように、外部ポケット部形成部１１に、下部折り畳み部９を上部に折り畳み重合させ、次いで、上部折り畳み部１０を、下部に折り畳み重合させればよい。
【００２８】
　尚、本例では、ファスナー６で開閉する二層より成る内部ポケット部２には、例えば、その内側層２ａにはＭＰ３プレーヤーなどのオーディオ機器や、その他の、ヘッドホン１２から取り外した配線コードや、リモートコントローラーあるいはジャックなどを、又、外側層２ｂには、ディスクケースや別途貴重品などを収納するなど、自由に選択しうる。
　かくして、衣服本体部１より離脱されたポケット部４は、独立したポーチＰとして用いることが出来る。
【００２９】
　尚、符号１３は、配線コード等の貫通用開口部であり、オーディオ機器本体を作動させる折にのみ必要とされる。
　又、符号１４は、ポーチとして使用する折の掛止リングを示し、バッグ等に掛止するために用いられる。
【実施例３】
【００３０】
　図６は、本考案の第三の実施例を示すものであって、本考案の主要部たるポーチＰの構造を示す断面的模式図である。
　以下、図を参照しながら詳しく説明する。
【００３１】
　まず、衣服本体部１は、裏側（内側乃至身体側）のシールＳを縫合固着した裏地１ｂと、間隙部１ｃを中間層として、表側（外側乃至ポーチＰ側）の面状ファスナーＦを縫合固着した表地１ａとから成り、これらシールＳ、裏地１ｂ及び面状ファスナーＦ、表地１ａには、開口部１３，１３，１３，１３が略同位置に貫通してある。
【００３２】
　尚、この例では、裏地１ｂは、通気性確保のため、合成繊維素材より成り、かつメッシュ状を呈するよう構成してある。
【００３３】
　次に、ポーチＰ乃至ポケット部４（内部ポケット部２及び外部ポケット部３）は、図３乃至図５に平面的に示されるように縫合一体とされており、それぞれ次の構成を呈する。
【００３４】
　内側（衣服本体部１側）の、内部ポケット部２は、二層構造を呈しており、面状ファスナーＦ、を内側（衣服本体部１側）に縫着した内側層２ａと、内側（衣服本体部１側）にシールＳを、又、外側に面状ファスナーＦ，Ｆを縫着した外側層２ｂとから成る内部ポケット部形成部８を形成している。
　尚、該外側層２ｂは、その外側面上にファスナー６にて開閉する開閉部７をも形成している。
【００３５】
　又、これら面状ファスナーＦ、内側層２ａ、シールＳにも、開口部１３，１３，１３が略同位置に貫通してあることは、前記衣服本体部１と同様である。
【００３６】
　次に、外側（表側）の外部ポケット部３は、前記面状ファスナーＦ，Ｆを縫着した内部ポケット部形成部８と同一面の外部ポケット部形成部１１、面状ファスナーＦ，Ｆを縫着した下部折り畳み部９及び、面状ファスナーＦを縫着した上部折り畳み部１０とから成る。
【００３７】
　かく構成されたポーチ部Ｐ乃至ポケット部４を実際使用する場合は、前述図３乃至図５に示された手順によることとなる。
【００３８】
　尚、該ポケット部４乃至ポーチＰ（内部ポケット部２及び外部ポケット部３）を、衣服本体部１より離脱独立させるには、相対向密着している面状ファスナーＦ，Ｆ同士を引き剥がすだけで足り、それ以外の作業は何一つ必要としない。
【００３９】
　このことは、一旦離脱独立させ、ポーチＰとして使用した後に、再び、衣服本体部１と一体化させる場合も同じであって、単に、該両者面状ファスナーＦ，Ｆを位置合わせした上で押圧するだけで足り、それ以外の作業は何も必要としない。
【００４０】
　尚、前記の相対向密着する面状ファスナーＦ，Ｆの各四隅には、補助的にホック等の留金部を形成してもよいが、該面状ファスナーＦ，Ｆのみでも固着が強固になされる以上、格別必要とするものではない。
【産業上の利用可能性】
【００４１】
　オーディオ機器等収納用に構成したポケット部を不要時に容易に取り外して独立したポーチとしても利用でき、また、衣服本体にも不要な張り出しポケット部が現出しないため、衣服本体をデザインする場合にも広い応用が可能となるため、産業上有用である。
【図面の簡単な説明】
【００４２】
【図１】本考案に係る第一実施例を示す、上衣の略全体正面図。
【図２】本考案に係る第二実施例を示す、上衣本体より取り外しポーチとして使用す　　　　　　る場合の正面図。
【図３】本考案に係る第二実施例を示す、ポーチとしての使用手順を示す平面図。
【図４】本考案に係る第二実施例を示す、ポーチとしての使用手順を示す平面図。
【図５】本考案に係る第二実施例を示す、ポーチとしての使用手順を示す平面図。
【図６】本考案に係る第三実施例を示す、本体衣服と、ポーチ部乃至ポケット部との　　　　　　関係を示す断面図。
【符号の説明】
【００４３】
　１　　衣服本体部
　１ａ　表地
　１ｂ　裏地
　１ｃ　間隙部
　２　　内部ポケット部
　２ａ　内側層
　２ｂ　外側層
　３　　外部ポケット部
　４　　ポケット部
　５　　上腕部
　６　　ファスナー
　７　　開閉部
　８　　内部ポケット部形成部
　９　　下部折り畳み部
１０　　上部折り畳み部
１１　　外部ポケット部形成部
１２　　ヘッドホン
１３　　開口部
１４　　係止リング
　Ｓ　　シール
　Ｆ　　面状ファスナー
　Ｐ　　ポーチ部
【図１】
0003099701.tif 000003
【図２】
0003099701.tif 000004
【図３】
0003099701.tif 000005
【図４】
0003099701.tif 000006
【図５】
0003099701.tif 000007
【図６】
0003099701.tif 000008